(57)【要約】【課題】集光レンズの集光性能を最大限発揮するとともに、信頼性に優れた受発光ユニットの調整装置および光ピックアップ装置を提供する。【解決手段】コリメートレンズ２４の主点Ｑ３から絞り部２６までの最短距離ｆ１は、コリメートレンズ２４の焦点距離ｆ２に等しくなるように配置されているので、発光素子３３が調整装置２１の光軸Ｌ６からずれて配置され、発光素子３３の光軸Ｌ７と、調整装置２１の光軸Ｌ６とが一致していない状態で、受発光ユニット２０の光学調整を実行しても、発光素子３３の光軸Ｌ７と調整装置２１の光軸Ｌ６とが一致している状態で光学調整をした場合と同様の調整結果を得ることができる。【選択図】　　　図１
2004062993.tif 000002
【特許請求の範囲】
【請求項１】
発光素子と、受光素子と、前記発光素子が発する光を光記録媒体へ導くとともに、光記録媒体からの反射光を前記受光素子に導くように構成された光学素子を有する受発光ユニットにおいて、前記発光素子と前記光学素子の相対位置を調整をする受発光ユニットの調整装置であって、
発光素子から発せられる発散光を平行光に変換するコリメートレンズと、
前記平行光を反射体に集光する集光レンズとを備え、
絞り手段が集光レンズに設けられ、
コリメートレンズの主点から絞り手段までの距離が、コリメートレンズの焦点距離に等しく配置されることを特徴とする受発光ユニットの調整装置。
【請求項２】
発光素子と受光素子と前記発光素子が発する光を光記録媒体へ導くとともに、光記録媒体からの反射光を前記受光素子に導くように構成された光学素子を有する受発光ユニットと、
発光素子から発せられる発散光を平行光に変換するコリメートレンズと、
前記平行光を光記録媒体に集光する集光レンズとを備え、
絞り手段が集光レンズに設けられ、
コリメートレンズの主点から絞り手段までの距離が、コリメートレンズの焦点距離に等しく配置されることを特徴とする光ピックアップ装置。
【発明の詳細な説明】
【０００１】
【発明の属する技術分野】
本発明は、受発光ユニットの調整装置および光ピックアップ装置に関し、たとえばコンパクトディスクプレーヤ装置などに用いられる光ピックアップ装置に用いられる受発光ユニットの調整装置および、コンパクトディスクプレーヤ装置などに用いられる光ピックアップ装置に関する。
【０００２】
【従来の技術】
光ピックアップ装置は、広く普及した光ディスク装置の基幹デバイスである。この基幹デバイスである光ピックアップ装置の信頼性は、光ディスク装置の信頼性に直結する。したがって、受光素子と発光素子とを１つのパッケージ内に一体に設けた受発光素子を用いる光ピックアップ装置が主流となってきている。受発光素子は、専用の調整装置で光学調整した後、光ピックアップ装置に組込まれる。
【０００３】
図４は、従来の光ピックアップ装置１を、その光軸Ｌ１を含む仮想平面で切断して示す断面図である。光ピックアップ装置１は、受発光ユニット２と、コリメートレンズ３と、絞り部４および集光レンズ５とを有する。受発光ユニット２は、ステム６と、発光素子１１と、受光素子１２と、キャップ７と、回折素子１０とで構成されている。発光素子１１と受光素子１２とは、ステム６に一体に設けられ、発光素子１１と受光素子１２とは安定した位置関係で保持される。
【０００４】
図５は、従来の受発光ユニットの調整装置１３を、その光軸Ｌ２を含む仮想平面で切断して示す断面図である。調整装置１３は、筒状ケーシング１４と、コリメートレンズ１５と、集光レンズ１６および絞り部１７と、集光レンズ変位機構１８とを有する。受発光ユニット２は、筒状ケーシング１４の一端部にそのステム６を陥合させて着脱自在に装着されている。
【０００５】
発光素子１１から発せられた光は、回折素子１０、コリメートレンズ１５、絞り部１７、集光レンズ１６を透過し、図示外の光記録媒体に集光される。光記録媒体で反射された光は、集光レンズ１６およびコリメートレンズ１５によって再び集光され、回折素子１０に入射してその一部が回折され、受光素子１２で検出される。受光素子１２からの電気信号に基づいてサーボ信号と情報信号が生成され、同サーボ信号によって集光レンズ変位機構１８を駆動して光記録媒体上の光スポットに情報トラックを追従させる。このときサーボ信号にアンバランスがあると再生された情報信号の品質が低下するので、前記サーボ信号のバランスを適正に補償すべく、回折素子１０を調整装置１３の光軸Ｌ２に垂直な仮想平面に沿って位置調整し、接着剤等でキャップ７に固定する。
【０００６】
【発明が解決しようとする課題】
図４に示す従来の光ピックアップ装置１では、集光レンズ５の集光性能を最大限発揮させるため、受発光ユニット２の位置を光軸Ｌ１に垂直な仮想平面に沿って移動させてコリメートレンズ３から出射される平行光の進行方向を光軸Ｌ１に一致させている。しかし、発光素子１１がステム６の径方向中心に対してずれて固定されている場合、上記の位置調整によって受発光ユニット２の光学調整がずれてしまうという問題が生じるようになった。図６および図７を用いてこの問題を説明する。
【０００７】
図６は、発光素子１１Ａが、光軸Ｌ２に一致するステム６の径方向中心から位置ずれした場合の光学特性を説明するための図５相当図である。発光素子１１Ａが、ステム６の径方向中心からずれた状態で固定されていると、前述のように受発光ユニット２Ａの位置を移動調整することによって、回折素子１０を位置調整して適正に補償されたサーボ信号のバランスが変化する。
【０００８】
すなわち発光素子１１Ａを通りかつ光軸Ｌ２に平行な仮想直線Ｌ３が、調整装置１３の光軸Ｌ２からずれていると、コリメートレンズ１５から発せられる平行光は光軸Ｌ２に対して傾斜する。光記録媒体で反射された反射光も同一光路を通って回折素子１０に入射するが、前記反射光の光路中心が傾斜しているので、反射光の光路中心が回折素子１０を通過する点は、光軸Ｌ２上にも前記仮想直線Ｌ３上にも存在しないので、回折素子１０の中心を通り光軸Ｌ２に平行な仮想直線Ｐ１は光軸Ｌ２とも前記仮想直線Ｌ３とも一致しない。
【０００９】
図７は、発光素子がステム６の径方向中心から位置ずれした場合の光学特性を説明するための図４相当図である。前記調整装置１３を用いて調整された受発光ユニット２Ａを、調整装置１３から離脱した後、光ピックアップ装置１９に搭載する。そして図７に示すように、発光素子１１Ａを通りかつ光軸Ｌ１に平行な仮想直線Ｌ４が、光軸Ｌ１に一致するように、受発光ユニット２Ａは光軸調整されて光ピックアップ装置１９に固定される。このとき発光素子１１を通る仮想直線Ｌ４とコリメートレンズ３の径方向中心とは一致するように調整されることになるので、コリメートレンズ３から出射される平行光は、集光レンズ５の光軸に平行になり、集光レンズ５の集光性能は最大限発揮されるが、回折素子１０の径方向中心Ｌ５は、コリメートレンズ３の光軸に一致していないので、反射光の光路中心と回折素子１０の径方向中心とは一致せず、サーボ信号にオフセットを生じる。
【００１０】
したがって本発明の目的は、集光レンズの集光性能を最大限発揮するとともに、信頼性に優れた受発光ユニットの調整装置および光ピックアップ装置を提供することである。
【００１１】
【課題を解決するための手段】
本発明は、発光素子と、受光素子と、前記発光素子が発する光を光記録媒体へ導くとともに、光記録媒体からの反射光を前記受光素子に導くように構成された光学素子を有する受発光ユニットにおいて、前記発光素子と前記光学素子の相対位置を調整をする受発光ユニットの調整装置であって、
発光素子から発せられる発散光を平行光に変換するコリメートレンズと、
前記平行光を反射体に集光する集光レンズとを備え、
絞り手段が集光レンズに設けられ、
コリメートレンズの主点から絞り手段までの距離が、コリメートレンズの焦点距離に等しく配置されることを特徴とする受発光ユニットの調整装置である。
【００１２】
本発明に従えば、発光素子から発せられた発散光は、コリメートレンズを通過することで平行光に変換される。この平行光は絞り手段を経由して集光レンズによって集光され、集光された光は反射体によって反射される。反射された光は、前記集光レンズおよびコリメートレンズを通過した後、受光素子に導かれて検出され、その検出値に基づいて、反射された光を受光素子に好適に導くことができるように受発光ユニットの光学調整が実行される。
【００１３】
コリメートレンズの主点から絞り手段までの距離が、コリメートレンズの焦点距離に等しく配置されているので、発光素子が調整装置の光軸からずれて配置され、前記発光素子から発せられる光の中心軸線である発光素子の光軸と、調整装置の光軸とが一致していない状態で、受発光ユニットの光学調整を実行しても、発光素子の光軸と調整装置の光軸とが一致している状態で光学調整をした場合と同様の調整結果を得ることができる。つまり、発光素子の位置に拘わらず、一定の好適な調整状態に、受発光ユニットを調整することができる。
【００１４】
また本発明は、発光素子と、受光素子と、前記発光素子が発する光を光記録媒体へ導くとともに、光記録媒体からの反射光を前記受光素子に導くように構成された光学素子を有する受発光ユニットと、
発光素子から発せられる発散光を平行光に変換するコリメートレンズと、
前記平行光を反射体に集光する集光レンズとを備え、
絞り手段が集光レンズに設けられ、
コリメートレンズの主点から絞り手段までの距離が、コリメートレンズの焦点距離に等しく配置されることを特徴とする光ピックアップ装置である。
【００１５】
本発明に従えば、発光素子から発散光を発すると、この光は、コリメートレンズを通過することで平行光に変換される。この平行光は絞り手段を経由して集光レンズによって集光され、集光された光は反射体によって反射される。反射された光は、集光レンズおよびコリメートレンズを通過した後、光分岐素子を通過し、受光素子に導かれて検出される。
【００１６】
コリメートレンズの主点から絞り手段までの距離が、コリメートレンズの焦点距離に等しく配置されているので、受発光ユニットが光軸に垂直な面内で位置ずれを生じても発光素子から放射されて光学素子の中心を通る光線は必ず絞り手段の中心を通りサーボ信号にオフセットが生じることがないので光ピックアップ装置の信頼性を高く確保することができる。
【００１７】
【発明の実施の形態】
図１は、本発明の実施形態の受発光ユニット２０の調整装置２１を、光軸Ｌ６を含む仮想平面で切断して示す断面図である。本実施形態は、たとえばコンパクトディスクプレーヤ装置などに用いられる光ピックアップ装置に用いられる受発光ユニットの調整装置および、コンパクトディスクプレーヤ装置などに用いられる光ピックアップ装置に適用する場合の一例を示す。
【００１８】
調整装置２１は、受発光ユニット２０を光学調整する調整装置であって、円筒状ケーシング２２と、コリメートレンズ２４と、集光レンズ２５と、絞り手段としての絞り部２６と、集光レンズ変位機構２７と、光記録媒体としての光ディスク２８とを有する。円筒状ケーシング２２（以下、ケーシング２２とよぶ）は、その長手方向両端部が開放状に形成されている。ケーシング２２の長手方向一端部に、受発光ユニット２０が着脱自在に装着され、ケーシング２２内の長手方向中段部に、コリメートレンズ２４が固着され、ケーシング２２の長手方向他端部に、集光レンズ変位機構２７を介して集光レンズ２５および絞り部２６が設けられている。光ディスク２８は、集光レンズ２５の光軸方向一方に配置される。光ディスク２８は、光軸Ｌ６に垂直な仮想平面に沿って配置されるとともに、集光レンズ２５の焦点位置付近部に配置される。
【００１９】
受発光ユニット２０は、ステム２９と、キャップ３０と、発光素子３３と受光素子３１と、光学素子である回折素子３２とを有する。ステム２９の大部分は円板状に形成され、その直径寸法Ｄ１は、ケーシング２２の長手方向一端部の内径寸法ｄ１よりも大きく、前記長手方向一端部の外径寸法Ｄ２よりも小さくなるように形成されている。ステム２９の一表面部にはキャップ３０が固着されている。キャップ３０は略円筒形状を成し、このキャップ３０の軸線方向一端部に、半径方向外方に延びるフランジ部３０ａが一体形成されている。このフランジ部３０ａの直径寸法は、ケーシング２２の長手方向一端部の内径寸法ｄ１よりもやや小さい寸法に形成されている。キャップ３０の軸線方向他端部には開口部３０ｂが形成されている。回折素子３２は、キャップ３０の軸線方向他端部に沿って、すなわち調整装置２１の光軸Ｌ６に垂直な仮想平面に沿って位置調整自在に設けられている。
【００２０】
キャップ３０内部において、ステム２９の一表面部に、直方体形状の凸部２９ｃが一体に固着されている。凸部２９ｃのうち開口部３０ｂに臨む一表面部に受光素子３１が固着されている。凸部２９ｃのうち前記一表面部に隣接する一側面部３４ａに、発光素子３３が固着されている。発光素子３３の発光点３３ａは、光軸Ｌ６に垂直な仮想平面Ｓａ上に配置されているが、本実施形態では組立誤差のため光軸Ｌ６と仮想平面Ｓａとの交点Ｑ４からずれて配置されている。
【００２１】
ケーシング２２の長手方向一端部およびその内周面部には、環状の段部２２ａが形成されている。この段部２２ａに、ステム２９の一表面部のうちの外周縁部分２９ａと、ステム２９の外周面部のうちの厚み方向の一部分２９ｂとが着脱自在に装着されている。前記段部２２ａにステム２９が装着されているとき、受発光ユニット２０の大部分はケーシング２２内部に配置される。回折素子３２は、キャップ３０の軸線方向他端部３０ｃに沿って位置調整自在に設けられているので、発光素子３３および受光素子３１と、回折素子３２とは、相互に位置調整自在に設けられる。
【００２２】
コリメートレンズ２４は、ケーシング２２の長手方向中段部に半径方向内方に突出するように付設されたフランジ部２２ｂを介して設けられ、コリメートレンズ２４は、調整装置２１の光軸Ｌ６に垂直な仮想平面Ｓ１に沿って配置される。このコリメートレンズ２４は、発光素子３３から矢符Ａ１で示す方向（以後、Ａ１方向と呼ぶ場合もある）に発せられ、回折素子３２を透過した光を平行光に変換し得る。集光レンズ変位機構２７は、集光レンズ２５を直交２軸方向に微小変位させる機構であって、変位機構本体３５とレンズホルダ３６とで構成されている。レンズホルダ３６は、軸線方向両端部が開放する円筒形状に形成されている。レンズホルダ３６の内周面部には、集光レンズ２５の外周部２５ａがタイトに保持されている。ケーシング２２の内周面部と、レンズホルダ３６の外周面部との間に、変位機構本体３５が配置され、レンズホルダ３６および集光レンズ２５は、この変位機構本体３５によって直交２軸方向に微小変位可能に構成される。
【００２３】
コリメートレンズ２４の主点Ｑ３から絞り部２６までの最短距離ｆ１は、コリメートレンズ２４から発光素子３３の発光点３３ａに至る焦点距離ｆ２に等しくなるように、絞り部２６、コリメートレンズ２４、発光素子３３が配置されている。
【００２４】
したがって前記受発光ユニット２０を前述のようにケーシング２２に装着し、発光素子３３から光を発すると、この光は回折素子３２を透過して矢符Ａ１にて示すＡ１方向へ導かれる。回折素子３２を透過した光は、コリメートレンズ２４を通過することで平行光に変換される。この平行光は絞り部２６を経由して集光レンズ２５によって集光され、集光された光は光ディスク２８によって矢符Ａ２にて示すＡ２方向へ反射される。反射された光は、集光レンズ２５およびコリメートレンズ２４を通過した後、回折素子３２に入射される。回折素子３２に入射された反射光の一部は、回折されて受光素子３１に導かれて検出される。
【００２５】
図２は、回折素子３２の表面部に形成された複数の領域部分と、受光素子３１に入射される光量との関係を説明する説明図である。前記受光素子３１で検出された検出値に基づいて、回折素子３２を、受発光素子２０に対して、光軸Ｌ６に垂直なｘ−ｙ平面に沿って相対的に位置調整することによって、受発光素子２０および回折素子３２の光学調整が実行される。回折素子３２の表面部には円形の領域部分Ｒｓが形成され、この領域部分Ｒｓは、円周方向に３分割された第１領域部分Ｒ１と第２領域部分Ｒ２と第３領域部分Ｒ３とから成る。第１領域部分Ｒ１と第２領域部分Ｒ２とは同一の面積となるように形成され、第１領域部分Ｒ１の面積に第２の領域部分Ｒ２の面積を加えた面積は、第３領域部分Ｒ３の面積と等しくなるように形成されている。第１〜第３領域部分Ｒ１〜Ｒ３に入射された反射光３７は、受光素子３１に形成された図示外の複数の受光部のうち、対応する受光部で個別に検出される。
【００２６】
したがって第１領域部分Ｒ１と第２領域部分Ｒ２とに入射する光量が等しく、かつ、第１および第２領域部分Ｒ１，Ｒ２に入射する光量の和と、第３領域部分Ｒ３に入射する光量とが等しくなるように、回折素子３２を前記ｘ−ｙ平面に沿って位置調整させることによって、反射光３７の光路中心が円形の領域部分Ｒｓの中心ＣＰ、すなわち回折素子３２の中心を通り、サーボ信号のバランスが保持されるべく光学調整がなされる。
【００２７】
以上説明した調整装置２１によれば、コリメートレンズ２４の主点Ｑ３から絞り部２６までの距離ｆ１は、コリメートレンズ２４の主点Ｑ３から仮想平面Ｓａまでの距離、即ちコリメートレンズ２４の焦点距離ｆ２に等しくなるように配置されているので、発光素子３３が調整装置２１の光軸Ｌ６からずれて配置され、発光素子３３の光軸Ｌ７と、調整装置２１の光軸Ｌ６とが一致していない状態で、受発光ユニット２０の光学調整を実行しても、発光素子３３の光軸Ｌ７と調整装置２１の光軸Ｌ６とが一致している状態で光学調整をした場合と同様の調整結果を得ることができる。つまり、発光素子３３の位置に拘わらず、一定の好適な調整状態に、受発光ユニット２０を調整することができる。
【００２８】
ここで調整装置２１の光軸Ｌ６とは、コリメートレンズ２４の主点Ｑ３を通るケーシング２２の円筒の軸線中心と同義である。発光素子３３の光軸Ｌ７とは、発光素子３３から矢符Ａ１にて示す光軸Ｌ６と平行な第１方向へ発せられる光の中心と同義である。
【００２９】
最短距離ｆ１が焦点距離ｆ２に等しいことによって、前記同様の調整結果を得ることができる理由について説明すると、発光素子３３から発せられた光は、コリメートレンズ２４にて平行光に変換されるが、コリメートレンズ２４の主点Ｑ３を通過する光線Ｂ１だけは、屈折されずに直進する。したがって、発光素子３３の発光点３３ａと前記主点Ｑ３とを結ぶ直線は、絞り部２６における光軸Ｌ６に垂直な仮想平面Ｓ２に沿った方向の中心点Ｑ２と、発光点３３ａから発せられた光線のうち前記中心点Ｑ２に至る光線Ｂ２が仮想平面Ｓ１と交差する第１の点Ｑ１とを結ぶ直線と平行である。よって第１の点Ｑ１と中心点Ｑ２とを結ぶ直線と、中心点Ｑ２と主点Ｑ３とを結ぶ直線との成す角度αは、発光点３３ａと主点Ｑ３とを結ぶ直線と、仮想平面Ｓａと光軸Ｌ６とが交差する第２の点Ｑ４とを結ぶ直線との成す角度βに等しい。
【００３０】
中心点Ｑ２と主点Ｑ３を結ぶ直線の長さはｆ１に、主点Ｑ３と第２の点Ｑ４を結ぶ直線長さはｆ２にそれぞれ等しく、且つ、ｆ１＝ｆ２であるから、直線Ｑ２Ｑ３と直線Ｑ３Ｑ４の長さは等しい。
【００３１】
さらに仮想平面Ｓ１と仮想平面Ｓａは光軸Ｌ６に垂直であるから、直線Ｑ２Ｑ３と直線Ｑ３Ｑ１の成す角と直線Ｑ３Ｑ４と第２の点Ｑ４と発光点３３ａを結ぶ直線の成す角は共に直角である。
【００３２】
したがって、第１の点Ｑ１と中心点Ｑ２と主点とＱ３とを結ぶ三角形と、発光点３３ａと主点Ｑ３と第２の点Ｑ４とを結ぶ三角形とは合同であり、直線Ｑ１Ｑ３の長さと第２の点Ｑ４と発光点３３ａを結ぶ直線の長さは等しい。仮想平面Ｓ１と平面Ｓａが平行、かつ、光軸Ｌ６に垂直であることを考慮すると発光点３３ａ、第１の点Ｑ１、主点Ｑ３、第２の点Ｑ４を結んだ四角形は長方形であり発光点３３ａと第１の点Ｑ１を結んだ直線は光軸Ｌ６に平行である。即ち、開口絞り２６の中心を通過した反射光はコリメートレンズ２４を通過した後、発光素子３３の光軸Ｌ７を通る。従って、本発明による受発光素子調整装置によれば、発光素子３３の固定位置がずれ、該発光素子３３の光軸Ｌ７と受発光ユニット調整装置の光軸Ｌ６が一致していなくても、反射光の中心と回折素子３２の中心ＣＰが一致するように光学調整すれば自動的に発光素子３３の光軸Ｌ７と回折素子３２の光軸Ｌ７とは必ず一致する。これらは発光素子３３の光軸Ｌ７と受発光ユニット調整装置の光軸Ｌ６のずれの大小に拘わらず成立する。
【００３３】
換言すると、発光素子３３の光軸Ｌ７と、調整装置２１の光軸Ｌ６とが一致していない状態で、受発光ユニット２０の光学調整を実行しても、発光素子３３の光軸Ｌ７と調整装置２１の光軸Ｌ６とが一致している状態で光学調整をした場合と同様の調整結果を得ることができるうえ、サーボ信号にオフセットを生じないような受発光ユニット２０を、提供することが可能となる。
【００３４】
図３は、本発明の実施形態の光ピックアップ装置４０を、その光軸Ｌ９を含む仮想平面で切断して示す断面図である。ただし前記実施形態と同一の部材には同一の符号を付し、その詳細な説明は省略する。光ピックアップ装置４０は、光分岐素子としての回折素子３２を有する受発光ユニット２０と、コリメートレンズ４１と、絞り手段としての絞り部４２および集光レンズ４３と、反射体としての光ディスク２８とを有する。この光ピックアップ装置４０には、前述した調整装置２１で光学調整された受発光ユニット２０が組込まれている。
【００３５】
コリメートレンズ４１は、光ピックアップ装置４０の光軸方向中段部に、光軸Ｌ９に垂直な仮想平面Ｓ３に沿って配置される。このコリメートレンズ４１は、発光素子３３から矢符Ａ１にて示すＡ１方向へ発せられ、回折素子３２を透過した光を平行光に変換し得る。絞り部４２は、コリメートレンズ４１から入射される光の量を調節するものである。コリメートレンズ４１の主点Ｑ５から絞り部４２までの距離ｆ３は、コリメートレンズ４１の焦点距離ｆ４に等しくなるように配置されている。しかも、回折素子３２の径方向中心Ｌ８と、発光素子３３の光軸Ｌ７とは一致しているので、コリメートレンズ４１から発せられる平行光の進行方向を、光ピックアップ装置４０の光軸Ｌ９と一致させるように、受発光ユニット２０の位置を光軸Ｌ９に垂直な仮想平面Ｓ４に沿って位置調整すると、光軸Ｌ９と発光素子３３の光の中心Ｌ７と回折素子３２の径方向中心Ｌ８とは一致する。従って、受発光ユニット２０の位置調整によりサーボ信号のバランスが崩れることがなく、光ピックアップ装置４０の信頼性を確保しつつ、集光レンズ４３の集光性能を最大限発揮させることができる。
【００３６】
なお、ここで仮想平面Ｓ４とは、光軸Ｌ９に垂直な仮想平面でかつ発光点３３ａを通る仮想平面である。光ピックアップ装置４０の光軸Ｌ９は、コリメートレンズ４１の主点Ｑ５を通り、発光方向に平行な軸線である。
【００３７】
また、図３に示した本発明による光ピックアップ装置ではコリメートレンズ４１の主点Ｑ５から絞り部４２までの距離ｆ３とコリメートレンズ４１の焦点距離ｆ４を等しく配置してあるので、経時変化により受発光ユニット２０に位置ずれが生じても、サーボ信号にオフセットが生じることがなく、より信頼性に優れた光ピックアップ装置を提供することができる。
【００３８】
本発明の実施の他の形態として、発光素子から光ディスクまでの光学的距離が発光素子の共振器長の整数倍からずれるように、コリメートレンズから発光素子に至る焦点距離を設定しておけば、戻り光ノイズに対して安定となりより好ましい。その他、前記実施形態に、特許請求の範囲を逸脱しない範囲において種々の部分的変更を行う場合もある。
【００３９】
【発明の効果】
以上のように本発明によれば、コリメートレンズの主点から絞り手段までの距離が、コリメートレンズの焦点距離に等しく配置されているので、発光素子が調整装置の光軸からずれて配置され、前記発光素子から発せられる光の中心軸線である発光素子の光軸と、調整装置の光軸とが一致していない状態で、受発光ユニットの光学調整を実行しても、発光素子の光軸と調整装置の光軸とが一致している状態で光学調整をした場合と同様の調整結果を得ることができる。従って、本発明による受発光ユニットの調整装置を用いて受発光ユニットの光学調整を行えば、同ユニットを光ピックアップ装置に組み込んだ際にコリメートレンズから出射される平行光の進行方向が光ピックアップ装置の光軸に一致するように受発光ユニットの位置を前記光軸に垂直な仮想平面に沿って位置調整すると、光ピックアップ装置の光軸と発光素子の光路中心と光学素子の径方向中心とが一致しサーボ信号のバランスが崩れることがない。
【００４０】
また本発明による光ピックアップ装置ではまた、本発明によるピックアップ装置では受発光素子の位置に因らず、集光レンズの主点または開口絞りの中心を通る光線が発光素子の中心線と一致するので許容組立公差が広くなり信頼性が高まる。
【図面の簡単な説明】
【図１】本発明の実施形態の受発光ユニット２０の調整装置２１を、光軸Ｌ６を含む仮想平面で切断して示す断面図である。
【図２】回折素子３２の表面部に形成された複数の領域部分と、受光素子３１に入射される光量との関係を説明する説明図である。
【図３】本発明の実施形態の光ピックアップ装置４０を、その光軸Ｌ９を含む仮想平面で切断して示す断面図である。
【図４】従来の光ピックアップ装置１を、その光軸Ｌ１を含む仮想平面で切断して示す断面図である。
【図５】従来の受発光ユニットの調整装置１３を、その光軸Ｌ２を含む仮想平面で切断して示す断面図である。
【図６】発光素子が、光軸Ｌ２に一致するステム６の径方向中心から位置ずれした場合の光学特性を説明するための図５相当図である。
【図７】発光素子がステム６の径方向中心から位置ずれした場合の光学特性を説明するための図４相当図である。
【符号の説明】
２０　受発光ユニット
２１　調整装置
２４　コリメートレンズ
２５　集光レンズ
２６　絞り部
２８　光ディスク
３１　受光素子
３２　回折素子
３３　発光素子
４０　光ピックアップ装置
４１　コリメートレンズ
４２　絞り部
４３　集光レンズ
【図１】
2004062993.tif 000003
【図２】
2004062993.tif 000004
【図３】
2004062993.tif 000005
【図４】
2004062993.tif 000006
【図５】
2004062993.tif 000007
【図６】
2004062993.tif 000008
【図７】
2004062993.tif 000009